(57)【特許請求の範囲】
【請求項１】
通気性と弾力性に富み適度な剛性を有する部材に窪みを設けた土台と、
発声面を外向きにして前記窪みに収納されたスピーカユニットと、
前記スピーカユニットの寸法に対応する穴を有し前記スピーカユニットの背面からの間接音を前方向に対して遮蔽する背面音遮蔽板と、を備え、
前記スピーカユニットで前記穴が塞がれるように配されたことを特徴とするスピーカシステム。
【請求項２】
前記背面音遮蔽板は袋入りの液体又は袋入りのゲルを主体とする穴明きマットで構成したことを特徴とする請求項１に記載のスピーカシステム。
【請求項３】
枕の材料として、肉厚０．５乃至１．５ミリメートル、外径５乃至１５ミリメートル、管長５乃至２０ミリメートルの硬質樹脂短管をメッシュの袋で包んで枕を形成し、前記スピーカユニットの発声面を覆い隠したことを特徴とする請求項１又は請求項２に記載のスピーカシステム。
【請求項４】
左Ｌチャンネル専用のスピーカユニット及び右Ｒチャンネル専用のスピーカユニットをそれぞれ上向きに嵌め込むための窪みを上部に設けた繊維構造の部材で前記枕の土台を構成し、
前記繊維構造の部材の中央部に樹脂を充填注入することによりＬＲ隔壁を形成したことを特徴とする請求項１乃至請求項３の何れか１項に記載のスピーカシステム。
【請求項５】
前記液体又はゲルを封入する袋はシリコンゴムを主材料とすることを特徴とする請求項１乃至請求項４の何れか１項に記載のスピーカシステム。
【請求項６】
常温中ではかろうじて自己形状を維持する程度の粘性、剛性と弾性を有する材質でなるゼラチン又はこんにゃく状のゲルと、そのゲルを封入する袋は厚さ０．０５乃至１ミリメートルのシリコンゴムを主材料に用いたことを特徴とする請求項１乃至請求項５の何れか１項に記載のスピーカシステム。
【請求項７】
前記ゲルの主材料にはアクリルアミド架橋体でなる高吸水性ポリマーを用いたことを特徴とする請求項２乃至請求項６の何れか１項に記載のスピーカシステム。
【請求項８】
寝具用の枕又は、安楽椅子に内蔵したことを特徴とする請求項１乃至請求項７の何れか１項に記載のスピーカシステム。
【発明の詳細な説明】
【０００１】
【発明の属する技術分野】
本発明は、小型軽量且つ簡素でありながら、重低音も含めて高忠実度の再生を可能にしたスピーカシステムに関する。
又、本発明の用途はミニコンポ、テレビ、電話、ラジカセ、パソコン内蔵用スピーカあるいは５．１チャンネルスピーカ等にも及ぶ。
さらに、応用例としては寝具の枕及び安楽椅子等の枕部に内蔵して用いるスピーカにまで及ぶ。
その他の応用例として、スピーカのそばに配設して音響効果を高めるようにした背面音遮蔽板にも関する。
【０００２】
【従来の技術】
一般にスピーカと称する音響装置は、アンプ等で出力される音声電気信号を電磁応力又は静電応力により音声振動に変換し、その音声振動をコーン紙等でなる振動板に伝え、その振動板と聴取者の鼓膜との間に媒介する空気を適切に振動させることにより、音声を伝達する。
そのスピーカにはミュージシャンが屋外コンサートに用いるため大音響を発生させる大型の業務用から、家庭用ステレオ、ミニコンポ、ラジカセやヘッドホンまで各種ある。又、家庭用ステレオの発展型として、５．１チャンネルスピーカ等も開発され、普及している。
【０００３】
図１１は従来の家庭用ステレオのスピーカの水平断面図である。
スピーカユニット２１，２２が、裸の単体で使用されたとすれば再生困難とされていた低音域の共鳴を主な目的とし、所定の計算によって得られる容積の共鳴箱でなるスピーカボックス２３，２４を備えた従来のスピーカにおいては、そのバッフル板２５，２６即ち前面板にスピーカユニット２１，２２の寸法に対応した取り付け穴があり、その穴をスピーカユニット２１，２２のコーン紙２７，２８でなる振動板で塞ぐようにスピーカユニット２１，２２を前記穴に気密嵌合し、バッフル板２５，２６の表裏の空気が往来することを遮断し、スピーカユニット２１，２２のフレームのネジ穴（図示せず）に前方から木ネジ等（図示せず）を締め込むことにより、バッフル板２５，２６にスピーカユニット２１，２２を堅固に固定していた。
【０００４】
バッフル板２５，２６の主な存在要件はコーン紙２７，２８の前後にそれぞれ逆位相で発生する音波を隔離し、干渉させないことである。何故ならば逆位相で発生した音波即ち音波５と音波５’又は音波６と音波６’を混ぜ合わせると、足し算して零になり消えてしまう、即ちスピーカユニット２１，２２で発生した音が聴取者の耳２９，３０へ到達する以前に消えて無くなるからである。
特に低音域では音波の波長が長く、多少の距離、即ち前記逆位相で発生した二つの音波が聴取者の耳２９，３０に届くまでの距離があっても位相ズレの発生は少なく前記逆位相の相殺関係が常に成立してしまうので、理論的にはバッフル板２５，２６はその表裏の空気が往来することを完全に遮断し、無干渉を保つように、無限大の寸法の板でなり、しかもバッフル板２５，２６自体が重く堅牢で振動しない材料であり、その板が堅固に固定されている必要がある。
【０００５】
この逆位相で発生した音波とは、コーン紙２７，２８が図示しないボイスコイルの電磁駆動力により前進した時に、コーン紙２７，２８の前方に空気の密部（説明の便宜上、正と称す）ができ、コーン紙２７，２８の後方に空気の粗部（説明の便宜上、負と称す）ができ、逆にコーン紙２７，２８が後退した時にコーン紙２７，２８の前方に空気の粗部（負）ができ、コーン紙２７，２８の後方に空気の密部（正）ができるので、これら正と負が混じらないように隔離する事が特に低音域の音声を減衰させないためには重要となる。
この場合、「コーン紙２７，２８の背後で発生する逆位相の音波５’，６’を隔離し、遮蔽する作用」が強く奏効しており、このことを第１の動作原理と称す。
【０００６】
尚、コーン紙２７，２８が前進した時にその後方に発生した負をスピーカボックス２３，２４内部の筒状部（図示せず）で正に逆転してバッフル板２５，２６の所定の穴（図示せず）から正で放射し、コーン紙２７，２８がその正面に押し出す正を加勢するタイプもあり、その動作原理は図１２に沿って後述するパッシブ・ラジエターと同じである。
要するに音波は干渉波が引き算して相殺されることもあれば、逆に足し算して加勢することもあるので、所定レベルでの高忠実度再生を希望するスピーカの場合はその干渉波の周波数及び位相を配慮した筐体設計が必要となる。
【０００７】
又、スピーカボックス２３，２４はその内包する空気だけを共鳴させ、バッフル板２５，２６を含めた共鳴箱の筐体部材等は振動及び共鳴させないのが一般的である。そのためスピーカボックス２３，２４は重く頑丈にできており、その内壁には布団綿状の吸音材３１を張りつけてあり、この吸音材３１により音波５’，６’を吸収し共鳴箱内壁での反射音等による有害な干渉波の発生を防止している。
【０００８】
しかし、それでも吸音材３１で吸収しきれない有害な干渉波が僅かに残る他、前記密閉箱の閉塞空気によるダンパー効果でコーン紙の自由振動を拘束される害も有り、必ずしも前記密閉箱がスピーカユニットの周辺構造として標準的位置付けとされ続ける程に、理論的にも完璧なまでの高忠実度を実現するものではなかった。
又、前記筐体部材等までが不必要に振動した場合、聞き苦しい濁り雑音が発生する他、もし近くにＬＰレコードプレーヤが設置され、それの再生音をソースにしている場合には、ハウリングの生じる原因になるので、極力不必要な振動を無くすことにより、所望の澄んだ音声を得ていた。
そのことはコーン紙２７，２８を振動自在に支承するフレーム１５，１６も同様であり、フレーム１５，１６はそれ自体が振動しないようにバッフル板２５，２６に堅固に固定してあった。
【０００９】
俗に言う、「スピーカを始めとする音響機器の筐体等は大きく重く堅牢で振動しないもの程高忠実度の音が出る」とされている周知の事実は前記した、
（１）低音域の快い共鳴を望む目的と、
（２）逆位相の干渉波による相殺の害即ち音が消える害を避ける目的と、
（３）聞き苦しい濁り雑音の害を避ける理由による。
そして、前記目的及び理由により、密閉箱等でなる共鳴箱を具備したスピーカでは、本来振動自在のコーン紙の、前後動作に対して空気圧による制限が加えられ、詰まった感じの音になる欠点もあった。
【００１０】
又、聴取方法としては、第１にスピーカから空間に音声を拡散してなす自然な音響空間を得るように、コーン紙２７，２８からの直接音即ち左Ｌ，右Ｒチャンネルの音波５，６の他に、リスニングルーム内の壁３２、床及び天井との反射残響音３３，３４等を聴取者が聞き取る通常の方法がある。
この場合は同じスピーカシステムを鳴らしても、前記リスニングルームの造作次第、聴取者の位置及び姿勢次第で如何様にも音色が変わることが周知である。
【００１１】
前記第１の聴取方法のようにスピーカボックス２３，２４で成るオーソドックスなスピーカシステムを用いずに、ヘッドホン（図示せず）により、それに内蔵された小型スピーカ（図示せず）の振動板から聴取者の鼓膜（図示せず）までの距離を短くし、直接音のみを伝達する第２の聴取方法もある。
この場合は、反射残響音３３，３４が無いのだから、それが心地よく響く作用も無い代わりに、原音に対して有害な干渉波として作用することも無く、常に安定した高忠実度の原音再生が保障され、同じヘッドホンを聴取者の耳に装着（図示せず）して鳴らせば、前記リスニングルームの造作、聴取者の位置及び姿勢では何ら音色が変わることの無いことも周知かつ当然である。何故ならば前記直接音に影響を及ぼすものは、耳元の気温、気圧及び湿度以外に無いし、それらは通常の雰囲気においては音色に大差を与えない。
【００１２】
そして、前記第２の聴取方法であっても、前記ヘッドホンの構造部材等までが不必要に振動した場合、スピーカボックス２３，２４の不正振動の害と同様に、聞き苦しい濁り雑音が生じるので、不必要な振動を極力無くして高忠実度の澄んだ再生音を得るようにしていた。
従って、前記ヘッドホンの構造部材等（図示せず）は不必要に振動させないように小型スピーカのフレーム等（図示せず）を前記ヘッドホンの構造部材等に略一体的となるように接着剤等で確実に接合してあった。
【００１３】
又、ボディソニックなどの商品名で主に可聴範囲外の超低周波の振動を、空気を介せずに、安楽椅子等の構造物（図示せず）を介して人体まで直接的に伝達させることにより、軽いマッサージの様にリラックスさせる効果の高い特殊スピーカ（スピーカの範疇外で椅子とも分類）もあった。これは安楽椅子の構造部材の一部及びクッション部にまで振動を伝える特殊例であり、スピーカの応用範囲を示すための従来例である。
【００１４】
又、オーソドックスなスピーカにおける堅牢な筐体の設計とは逆に構造部材そのものを積極的に振動させる特殊スピーカ（図示せず）もあった。それは、特殊スピーカユニットの振動部として通常のコーン紙を具備する代わりに、振動発生部そのものをフレーム等を介することなくデザインパネルや壁板に直接取り付けて、そのデザインパネルや壁板を振動させることにより、デザインパネルや壁板自体から発声させるという趣味性の強いスピーカであった。これも、振動を構造部材にまで伝える特殊例であり、スピーカユニットを構造部材に取り付ける方法等を示すための従来例である。
【００１５】
前記スピーカはいずれのタイプのものであっても、スピーカユニットとそれを取り付ける取り付け部との接合を木ネジや接着剤で確実にし、前記した不正振動による雑音を避けていた。
前述のように従来の、スピーカは再生音を効率良く出力するために、その大半が共鳴箱を備えており、コーン紙の前後に逆位相で発生する音波の相殺減衰を阻止すべく、コーン紙の前後の空間を隔離するとともに、共鳴により音声出力を増強し、効率良くしていた。
【００１６】
しかし、図１２に示すＰａｓｓｉｖｅ  Ｒａｄｉａｔｏｒ、即ち「駆動用ボイスコイル９２等を備えていない受動的放射型の自由振動板」（以下、「パッシブ・ラジエター」と称す）８２を同一バッフル板にスピーカユニット９１のコーン紙２７と並べて配設したものもあった。
これは、共鳴箱９０とスピーカユニット９１は密閉型共鳴箱と同様の動作、即ちボイスコイル９２の駆動力がコーン紙２７を前後動作させ、その前方に正の音波５を後方に負の音波５’発生し、その音波５’が仕切り板９３の干渉作用で負を正に反転されて、パッシブ・ラジエター８２を前方に押し出すので、正の音波５０を発生し、特定周波数の音波５と５０に対しては増強する効果があった。
この場合、「共鳴した音を放射する作用」が強く奏効しており、このことを第２の動作原理と称す。
但し、特定周波数の音波に対して増強する反面、不自然さは否定できなかった。
【００１７】
【発明が解決しようとする課題】
しかし、スピーカのなかでも最もオーソドックスとされる、完全に左Ｌチャンネル、右Ｒチャンネルの音声をそれぞれ専用に独立した２個以上の重くて堅牢な筐体でなる据え置きの大型スピーカから出力するタイプ以外では、原音に対して高忠実度で、かつ立体音像定位感を伴いながら自然な臨場感あふれて迫力ある重低音の響きまでも聴取者に与えることは容易でなく、そのための工夫が必要であった。
【００１８】
又、ステレオならではの立体音像定位感を伴い、かつ迫力ある重低音を聴取者が最も手軽で確実に得る手段として周知のヘッドホンに関しては、その装着感やコードのまつわりが煩わしいとしてこれを嫌う人も多かった。
従って、業務用ならヘッドホンで良くても、リラックスする目的にはヘッドホンはそぐわない。
又、ヘッドホンは耳元で耳に対面するように装着するスピーカユニットを耳と一体的にクッション付き剛性カバー等で覆い、左右に関する反対チャンネルの音を隔離し遮蔽する他、外界音からも耳を隔離し遮蔽する構造が大半で、そのヘッドホンのスピーカユニットが耳から少しでも離れると、急激に音質が痩せ細る欠点もあった。
或いは、開放型ヘッドホンであっても、耳に対する所定の位置関係を保持した装着から少し外れた場合はやはり、音質が痩せ細る欠点があった。
【００１９】
又、ラジカセ等に見られる小型ステレオ装置や、音声多重ステレオ放送の受信できるテレビでは、電気的には完全に左Ｌチャンネル、右Ｒチャンネルの音声をそれぞれ専用に独立した２個のスピーカユニットから出力する構成であっても、それら２個のスピーカユニットは、プラスチック製で軽量の一箱でなる筐体（図示せず）の両端部に配設されており、左Ｌチャンネルと右Ｒチャンネルの音波が前記軽量の一箱でなる筐体を介して干渉し、さらに前記２個のスピーカユニットの間隔は狭く、その近接した空間で前記左Ｌ、右Ｒチャンネルの音波が、混じり合ってから聴取者の両耳まで届くので、折角のステレオ装置であるにもかかわらず、その立体音像定位を楽しむまでには至らないものが多かった。
【００２０】
本発明は、斯かる欠点を除去し、煩わしいヘッドホンの装着も無しに、高級ヘッドホン若しくは大型のスピーカでしか得られなかった高忠実度の音、即ち原音に忠実で迫力ある重低音と立体音像定位感を聴取者に与えられるようにしたものである。
従って、従来と同等効力のものあれば低価格化したい。
又、聴取者を飽きさせず、疲労させず、会話を遮る度合いを少なく、聞いていて心地良くなるような、濁りの無い済んだ音を聞きたい。
このことは、共鳴箱を具備しないスピーカにより達成できそうである。
【００２１】
又、本発明の実施者にとって、試行錯誤の無駄無く、失敗も無く、最も効果的な結果を確実にしたい。
【００２２】
又、寝具用の枕又は安楽椅子の枕部に応用して、楽しむことのできるスピーカを提供する事も目的としている。
さらに従来からあるＡＶ機器への発展的応用の他、今までは音質第１目的の部類に属さなかった種類の電子電気応用機器に対しても、高品位な音声を、小型軽量でしかも低価格のままに提供したい。
【００２３】
【課題を解決するための手段】
請求項１に係る発明は、通気性と弾力性に富み適度な剛性を有する部材に窪みを設けた土台と、発声面を外向きにして前記窪みに収納されたスピーカユニットと、前記スピーカユニットの寸法に対応する穴を有し前記スピーカユニットの背面からの間接音を前方向に対して遮蔽する背面音遮蔽板と、を備え、前記スピーカユニットで前記穴が塞がれるように配されたことを特徴とするスピーカシステムである。
【００２４】
又、請求項２に係る発明は、請求項１に記載の発明に加えて、前記背面音遮蔽板は袋入りの液体又は袋入りのゲルを主体とする穴明きマットで構成したことを特徴とするスピーカシステムである。
【００２５】
請求項１，２に係る発明によれば、重くて嵩張る共鳴箱を省略できて、しかも高忠実な再生音を得られる。このことにより、従来からあるＡＶ機器への発展的応用の他、今までは音質第１目的の部類に属さなかった種類の電子電気応用機器に対しても、高品位な音声を、小型軽量でしかも低価格のままに提供できる。
【００２６】
さらに、前記波状の凹凸が通気性を確保し、前記コーン紙等でなる振動板の前後を隔離密封状態から開放できる。従って、隔離密封しないことの良さを余すことなく発揮し、高忠実度の音声出力を提供できる。即ち、前記密閉箱の閉塞空気によるダンパー効果で前記振動板の自由振動を拘束される害と、前記共鳴箱では特定周波数のみを強調する目的のため、その他の周波数帯域の音声出力が抑圧されていた害を解消できる。
【００２７】
又、請求項３に係る発明は、請求項１又は請求項２に記載の発明に加えて、枕の材料として、肉厚０．５乃至１．５ミリメートル、外径５乃至１５ミリメートル、管長５乃至２０ミリメートルの硬質樹脂短管をメッシュの袋で包んで枕を形成し、前記スピーカユニットの発声面を覆い隠したことを特徴とするスピーカシステムである。
【００２８】
このようにしたことにより、枕のクッション材料をそのまま無駄無く生かしながら、枕に内蔵した小型軽量のスピーカであるにもかかわらず、大型のスピーカに匹敵する高忠実度の音を聞かせられる。
【００２９】
又、請求項４に係る発明は、請求項１乃至請求項３の何れか１項に記載の発明に加えて、左Ｌチャンネル専用のスピーカユニット及び右Ｒチャンネル専用のスピーカユニットをそれぞれ上向きに嵌め込むための窪みを上部に設けた繊維構造の部材で前記枕の土台を構成し、前記繊維構造の部材の中央部に樹脂を充填注入することによりＬＲ隔壁を形成したことを特徴とする請求項１乃至請求項３の何れか１項に記載のスピーカシステムである。
【００３０】
請求項４に係る発明によれば、樹脂により弾力性を保持した隔壁が形成されることにより、左Ｌチャンネルと右Ｒチャンネルの分離を良くし、ステレオ音響効果を高める。
【００３１】
このようにしたことにより、煩わしいヘッドホンの装着感も無く、耳がスピーカシステムから多少の距離に離れても聞こえる音は急激には痩せ細らない。
又、低音域の音声を相殺せず、又、左Ｌチャンネル、右Ｒチャンネルの区別が無くならず、しかも有害な干渉波等で鳴る間接音を吸音材により吸収排除して直接音のみを耳に届けるので、高級ヘッドホン若しくは大型のスピーカシステムでしか得られなかったところの、原音に忠実で迫力ある重低音と立体音像定位感を聴取者に与えられる。
【００３２】
又、外界に対して開放的であり耳が塞がれない。そして、スピーカユニットから耳が多少離れても、ヘッドホンのように急激に音質が痩せ細る事も無いし、外界の音も合わせて聞こえる。言わば、共鳴箱を具備したオーソドックスなスピーカシステムとヘッドホンの良さを兼ね備えたスピーカになっている。
【００３３】
又、左Ｌチャンネル、右Ｒチャンネルで完全独立筐体で成る二個のスピーカボックスを独立して配設する必要も無く、小型軽量で簡素な単一構成なので、本発明のスピーカシステムは応用する対象範囲が幅広い。例えば視聴覚教育機器の延長にあるシミュレーション教育訓練装置又はシミュレーションゲーム装置にも適している。
【００３４】
又、請求項５に係る発明は、請求項１乃至請求項４の何れか１項に記載の発明に加えて、前記液体又はゲルを封入する袋はシリコンゴムを主材料とすることを特徴とするスピーカシステムである。
【００３５】
又、請求項６に係る発明は、請求項１乃至請求項５の何れか１項に記載の発明に加えて、常温中ではかろうじて自己形状を維持する程度の粘性、剛性と弾性を有する材質でなるゼラチン又はこんにゃく状のゲルと、そのゲルを封入する袋は厚さ０．０５乃至１ミリメートルのシリコンゴムを主材料に用いたことを特徴とするスピーカシステムである。
【００３６】
請求項５，６に係る発明によれば、高忠実度の音を出すために最も効果的な結果を確実に得られる。
【００３７】
又、請求項７に係る発明は、請求項２乃至請求項６の何れか１項に記載の発明に加えて、前記ゲルの主材料にはアクリルアミド架橋体でなる高吸水性ポリマーを用いたことを特徴とするスピーカシステムである。そのゲルは、こんにゃく状の粘性、剛性及び弾性で形状維持するため、本発明の実施に最適の結果をもたらした。
【００３８】
又、請求項８に係る発明は、請求項１乃至請求項７の何れか１項に記載のスピーカシステムを、寝具用の枕又は、安楽椅子に内蔵したので、寝具用の枕又は安楽椅子の枕部に応用して、楽しむことができる。
【００３９】
【発明の実施の形態】
以下、図面に沿って、本発明の実施形態について説明する。
図１は本発明による「基本」実施形態を示すスピーカの断面図である。
図１の実施形態では、スピーカユニット１をバッフル板１１の穴部に配設したスピーカにおいて、前記スピーカユニット１のフレーム１５がコーン紙２７の振動方向即ち前後方向にコーン紙２７の振幅程度のストロークで進退自在の吸振構造をもってバッフル板１１へ柔軟に係合し、スピーカユニット１からバッフル板１１への振動を吸収した構造になっている。
【００４０】
又、バッフル板１１の穴の縁部には、カラー２を被せる等して大部分が滑らかな表面を持つ支柱３がバッフル板１１の裏側に向かって植設されており、その支柱３の端部には雄ネジが刻設され、位置規制部材５０を所定位置にボルト止めしている。又、フレーム１５の固定ネジ穴にスリーブ４が貼着され、そのスリーブ４の内径と支柱３の外径が前記カラー２を介在してガタつくこと無く係合し、そのスリーブ４の前後動作即ちフレーム１５の進退動作は、ウレタンフォーム（スポンジ）の吸振部材１７，１８の弾性力により柔軟に規制されている。
【００４１】
図１のスピーカにおいて、スピーカユニット１から音波５，５’をバッフル板１１の前後方向にそれぞれ逆位相で放射する。この時、バッフル板１１の前後の音波５，５’はそのバッフル板１１である程度は隔離されているので、それら逆位相の音波が相互干渉し足し算され相殺されて消えることは無い。
【００４２】
但しバッフル板１１の面積は有限でその縁部の後ろから前に回り込む逆位相の音波５’がある程度残るものの、図示しない聴取者の耳までの経路が直線的でないせいもあって前記耳まで届く以前に音波５’の相当量が減衰し、その音波５’が干渉波として音波５に悪影響する量も微少となるので、音波５から有効な低音域が相殺され減衰する量は少なくて済む。
そして、スピーカユニット１の正面から聴取者の耳までに、直接音である音波５を吸収遮蔽する障害物等がなければ、その音波５の減衰量は少なく、原音が忠実に聞かれる。
【００４３】
ここで、磁石等を含めたフレーム１５とバッフル板１１の合計重量がゼロであり、それらフレーム１５及びバッフル板１１の設置もそれぞれ堅固でないと仮定すれば、コーン紙２７が図示しないボイスコイルの電磁駆動力により、前進するとその反動でフレーム１５が後退し、そのフレーム１５を支えているバッフル板１１も後退させられる。その時フレーム１５とバッフル板１１の後方向に干渉波となる音波５’を放射する。
それでは高忠実度の音を出せないので、この干渉波となる音波５’を発生させないようにする手段は以下の通り。
【００４４】
１）フレーム１５を振動させないように堅固に設置する。
２）バッフル板１１の面積を無限大に広くし、かつそのバッフル板１１を振動させないように堅固に設置する。
３）フレーム１５とバッフル板１１の重量をそれぞれが振動しにくいように無限大に重くする。
４）重く、堅牢で大容積の従来型スピーカボックスを備える。
【００４５】
前記手段は１），２），３）は用途が限定され、かつ非現実的で、４）は何れも小型軽量安価なスピーカシステムには向かないので、逆の発想により、フレーム１５を自由に振動させることにする。最近の磁石材料の進歩により磁石を含めたフレーム１５の重量が軽くなったものの、図示しないボイスコイルとコーン紙２７の合計重量に比べれば、前記磁石を含めたフレーム１５の重量の方が格段に重くしかも、フレーム１５が空気を振動させる面積はコーン紙２７よりも小さいのが一般的で、フレーム１５自体が発生する逆位相の音波５’は無視できる程に微小である。
【００４６】
しかし、そのフレーム１５にバッフル板１１が一体的に結合していれば、相当の面積を有するので、そこから発生する逆位相の音波５’は無視できない程の悪影響を及ぼすことになる。
そこで、フレーム１５を自由に振動させても、その振動をバッフル板１１へは伝播させなければ、コーン紙２７から直接音である音波５だけを、きれいなままで聴取者の耳まで届けられるのである。
又、音波５により、バッフル板１１がある程度共鳴し、前方に対して音波５を加勢して放射させる言わば「音響共鳴反射板」としての効果も有る。
【００４７】
この様な、作用により、共鳴箱を具備していないにもかかわらず、重低音の減衰も無く澄んだ高忠実度の再生音が得られる。
この場合、前記第１の動作原理である「コーン紙２７の背後で発生する逆位相の音波５’を隔離し、遮蔽する作用」と、前記第２の動作原理である「共鳴した音を放射する作用」が両方とも強く奏効しているものと考えられる。
【００４８】
図２は本発明による「埋め込み式」の実施形態を示すスピーカの断面図である。
図２の実施形態では、スピーカユニット１のフレーム１５がバッフル板１１に吸振部材１７，１８を介して柔軟に配設された構造は図１のものと同様であり、さらにスピーカユニット１の背面を、通気性と弾力性に富み、かつ適度な剛性も備えた繊維構造の部材４０で覆い隠し、スピーカユニット１の背後から周囲の空間へ拡散する音波５’を図示せぬ聴取者の居る前方へは出させぬように遮蔽し、スピーカユニット１の背後から不快音が発生し難いように、音響効果上うまく逃がすので、干渉波の悪影響をさらに少なくしている。
【００４９】
このようにすれば、図１のスピーカにおける作用効果であるところの、有害な干渉波を含む間接音を隔離吸収し排除する機能を、前記吸音材の相乗効果により、一層確実ならしめる。
尚、この部材４０の材料に関し、各種交換実験したところ、ペットボトルの再生利用品「カールロック（高木化学研究所の登録商標）」を用いて良好な結果を得た。
【００５０】
尚、図２の実施形態ではフレーム１５がバッフル板１１に吸振部材１７，１８を介して柔軟に配設された構造が図１のものと同様であるが、部材４０だけの効果も相当有ることが確認されており、部材４０を具備していれば、フレーム１５がバッフル板１１に堅固かつ一体的に固定された構造であっても、共鳴箱を具備したものと略同一に近い効果のスピーカを構成できる。
【００５１】
さらに図２の実施形態におけるバッフル板１１を、図１で示した板材及びその板材への取り付け構造に代えて厚さ約３ミリメートル位のゴムマットを用いても良い。この場合、スピーカユニット１の重量は部材４０により支持される。
前記第１の動作原理である「コーン紙２７の背後で発生する逆位相の音波を隔離し、遮蔽する作用」が強く奏効している。
【００５２】
又、前記背面音遮蔽部として機能するバッフル板１１の代わりに、厚さ０．２ミリメートルのシリコンゴム製の密封袋に封入されることにより、形状を規定された液体、又は同様の袋に封入されたゲルを主体とする穴明きマットを備え、その穴明き部から前記コーン紙の表面が聴取者の耳に向けて、実質上露出、例えば、防護ネット越しにコーン紙が見える構成にしても良い。
【００５３】
そうすれば、硬くて重厚なバッフル板を用いることなく、濁りの無い澄んだ再生音が効率良く得られる。
そして、前記穴明きマットの材質は表面も、芯までも柔軟性に富み、多少の曲げ要望にも対応できるので、硬くて重厚な触感を嫌う用途に適する。例えば、肌触りの良さを生かして、人体等に直接接触する需要にも適する。
【００５４】
尚、図１及び図２で示したフレーム１５がバッフル板１１に吸振部材１７，１８を介して柔軟に配設された構造、即ちスピーカユニット１のフレーム１５がコーン紙２７の振動方向に１ミリメートル以上のストロークで進退自在の吸振構造をもってバッフル板１１へ柔軟に係合し、スピーカユニット１からバッフル板１１で成るＬ字、Ｊ字、若しくはＵ字状断面、又はコ字状断面の取り付け構造」を有する実施形態を示す断面図である。
【００５５】
図３（ａ）において、バッフル板１１の穴の縁部に、フレーム１５の縁部がその外形寸法に余裕をもって収納できるＬ字状の断面を持つ取り付けガイドを形成し、その取り付けガイドの凹部に吸振部材３８，３９を嵌め込み、それらと吸振部材３７によりフレーム１５の縁部を挟み込むように吸振部材３７を被せて配設し、これらがバッフル板１１の前方に外れないように、前記ガイドの凹部の開放端を封止するリング部材６０をネジ６１で固定している。
【００５６】
そのため、フレーム１５の縁部はコーン紙２７の振動方向にコーン紙２７の振幅程度のストロークをもって進退自在に吸振部材３７，３８，３９を介して柔軟にバッフル板１１と係合している。
ここで、コーン紙２７が前後方向に振動しても、その反動をフレーム１５の縁部からバッフル板１１へは伝わらないように吸振部材３７，３８，３９が吸収するので、本発明の効果が得られる。
又、バッフル板１１が樹脂成形で成る筐体等ならば、部品点数や組み立て工数を大して増やすこと無く本発明を簡単に実施できる。
【００５７】
ここで、図３（ａ）、図５（ａ）及び図７（ａ）に示すように袋入りの液体又は袋入りのゲルを主体とする材料により、背面音遮蔽板５１、バッフル板１１（全体の重量は他で支持）や吸振部材１７，１８，３７，３８，３９を構成してもよい。但し、図５（ａ）吸振部材１７，１８に必要なねじ穴は図から省略し、バッフル板１１に要する取り付けの細部も同様に省略している。
【００５８】
そして、前記凹部に袋入りの液体又は袋入りのゲルを主体とする吸振部材３７，３８を介して前記フレームをバッフル板１１に配設しても良い。（図３参照）
【００５９】
又、前記液体又はゲルを封入する袋にくびれ部を設け、そのくびれ部により生じた溝状又は波状の凹凸により、バッフル板１１や吸振部材１７，１８，２０，３７，３８，３９に不均一な面を有するようにした。
このようにしたことにより、前記吸振部材の主体がウレタンフォーム（スポンジ）等の発泡多孔質の材料であった場合に比べ、勝るとも劣らぬ吸振効果が得られる。
【００６０】
何故ならば、液体及びゲルは加圧による体積変化量が気体やスポンジより少ないため、通常ではピストン等に封入してもバネにならず、前記袋入りの液体又は袋入りのゲルで奏効する吸振作用は、体積変化によるものでなく、専ら形状変化によるので、ゲル等を荷重変形する際の逃げ場が確保されていることが必須要件であり、前記溝状又は波状の凹凸による不均一な面が、その変形した突出部の逃げ場を形成しているからである。
【００６１】
さらに、前記吸振部材の主体がウレタンフォーム（スポンジ）やゴムの単一材料であった場合に比べると弾性的吸振作用が長期間維持できるので、製品寿命が延びる。
そして、厚さ０．２ミリメートルのシリコンゴムを主材料とする樹脂成形加工による前記袋は前記くびれ部で溝状又は波状の凹凸が通気穴となるので、通気性を確保し、前記コーン紙の前後を隔離密封から開放できる。（図３（ａ）、図５（ａ）及び図７（ａ）参照）
【００６２】
従って、前述した密閉型共鳴箱を無くし、コーン紙の背後の空気を隔離密封から開放する改善効果を余すことなく発揮できる。
即ち、前記密閉箱の閉塞空気によるダンパー効果でコーン紙の自由振動を拘束される害と、前記共鳴箱では特定周波数のみを強調する目的のため、その他の周波数帯域の音声出力が抑圧されていた害を解消できる。
このようにしたことにより、最も効果的な結果を確実に得られた。
その理由として、適度な粘性を有する前記ゲルには、濁り音の原因となる干渉波等を良く吸収する作用が有るものと推定されている。
【００６３】
又、製造上の問題として、前記袋の厚さが０．０５より薄ければ希望する形状維持と品質維持が困難になる。ゴム風船のような袋では所定の形状維持ができない。又、破れやすいので耐久性が足りない。
一方、前記袋の厚さが１ミリメートルを超えれば形状維持と品質維持に優れていても、シリコンゴムの硬さが吸振作用を弱めてしまう。
現段階においては、かろうじて自己形状を維持する程度の粘性、剛性と弾性を有する材質でなるゼラチン又はこんにゃく状のゲルを厚さ０．２ミリメートルのシリコンゴム製の袋に封入した結果が最善であった。
【００６４】
具体的には、前記ゲルの主材料にはアクリルアミド架橋体でなる高吸水性ポリマーを用いた。例えば、商品名「スノーパック（三重化学工業株式会社の登録商標）」を該当部に用いて試作実験した。これは、家庭用蓄冷剤として一般に市販され普及している袋入りゲルであり、そのゲルは、こんにゃく状の粘性、剛性及び弾性で形状維持するため、本発明の実施に最適の結果をもたらした。
【００６５】
次に、図４（ａ）及び同図（ｂ）は本発明によるスピーカユニットの周辺構造として「組立て前の部品単位で、Ｊ字、Ｕ字、ｈ字若しくはユ字状断面、又はコ字状断面の取り付け構造」を有する実施形態を示す要部拡大断面図である。
そして、図４（ａ）はバッフル板１１の手前側からスピーカユニットを固定したもの、図４（ｂ）はバッフル板１１の背面側からスピーカユニットを固定したものである。
【００６６】
図４（ａ）及び同図（ｂ）において、バッフル板１１の穴の縁部に、フレーム１５の縁部がその外形寸法に余裕をもって収納できるＪ字、Ｕ字、ｈ字若しくはユ字状の断面を持ち凹部を有する取り付けガイド６２を、バッフル板１１にネジ６１で固定し、その取り付けガイド６２の凹部に吸振部材２０を嵌め込み、その吸振部材２０によりフレーム１５の縁部を挟み込むように配設し、フレーム１５はコーン紙２７の振動方向にコーン紙２７の振幅程度のストロークをもって進退自在に、吸振部材２０を介して柔軟にバッフル板１１と係合している。
【００６７】
ここで、コーン紙２７が前後方向に振動しても、その反動をフレーム１５の縁部からバッフル板１１へは伝わらないように吸振部材２０が吸収するので、図１の実施形態でも示した本発明の効果が得られる。
尚、実験によれば、図４（ａ）のものの方が図４（ｂ）のものよりも、コーン紙２７が前方に出ている分だけ、音がこもり難く、好ましい結果を得ている。
【００６８】
次に、図５（ａ）は図３（ａ）で示した吸振部材３７，３８と略同様の吸振部材１７，１８であり、同図（ｂ）は本発明によるスピーカユニットの周辺構造として、図１で示した「基本」形態に併せて、「凹部が吸振部材を介して緩く嵌合する支持構造」により後部マグネットの重量を支えた実施形態を示す断面図である。
図５において、バッフル板１１の穴の縁部に、フレーム８０の縁部がコーン紙２７の振動方向に１ミリメートル以上のストロークをもって進退自在に吸振部材１７，１８を介して柔軟にバッフル板１１と係合している。この係合の形態は図１のものと略同様であり、支柱３及びその周辺の詳細機構に関しては重複する説明を省略するものの、位置規制部材５０とバッフル板１１の間で吸振部材１７，１８を介してフレーム８０の縁部を挟みながらサンドイッチ構造にまとめている。
【００６９】
又、凹部を有する取り付けガイド７３を備えた支持台７０があり、フレーム８０に一体結合された大型マグネット７２の外形部を、取り付けガイド７３の凹部に吸振部材４１を介して支承している。
このように、フレーム８０と一体結合された大型マグネット７２を、支持台７０及び床７１に対して、振動を伝えないように支承したので、支持台７０が樹脂成形か木製等との材質の種類やスピーカユニットの外形、大きさ及び重量を問わずに、図１の実施形態で示した本発明と同等の効果を、あらゆる実施形態においても得られる。
【００７０】
又、吸振部材１７，１８，２０，３７，３８，３９，４１の材料として、図１，図２，図３，図４及び図５で示した各実施形態では取り敢えず、「メモリーフォーム（ケーシーシー商会の登録商標）」を使用して良好な結果を得ているが、それと同等の弾性力及びダンパー効果等の得られる材料若しくは前記吸振構造の変形による実施態様があっても、本発明の要旨を含んだものと看做し得る。
【００７１】
そして、本発明の基本実施形態は共鳴箱を省略した軽いバッフル板を主体とし、しかもそのバッフル板が堅固に固定されていない場合を想定しているものの、そうでなく従来から有る共鳴箱を主体とし、重厚なバッフル板を具備し、しかもそのバッフル板が前記共鳴箱に堅固に固定されているスピーカユニットに前記吸振構造を実施しても、濁りが除去されてより澄んだ再生音が得られる等の面白い結果となる。
【００７２】
従って、従来から有る共鳴箱と重厚なバッフル板を具備したスピーカに対して本発明を実施しても、本発明の要旨を含んだものと看做し得る。
尚、スピーカユニットに接続する図示しない電線等、脆弱で所定の配線保護を要する部分や意匠上の創意工夫に関しては、当業者において容易に想到し得るので、それらの説明は省略する。
【００７３】
以下、図６及び図７に沿って、本発明を寝具用枕に応用することに着目した実施形態に関して説明する。
図６は本発明によるスピーカユニットの周辺構造として、図１で示した「基本」形態に併せて、バッフル板を背面音遮蔽板としても活用し、寝具用の枕に応用した実施形態を示すスピーカの断面図である。
【００７４】
そして、ステレオの立体音像定位を構成する左Ｌチャンネル、右Ｒチャンネルの音声を独立して出力するスピーカユニット１，２をそれぞれ具備した左Ｌチャンネル専用の第１のバッフル板１１と、右Ｒチャンネル専用の第２のバッフル板１２を聴取者の両耳に対して適切な角度と距離で対面するように第１，第２の背板１３，１４にそれぞれの断面で接合して構成し、左Ｌ、右Ｒ両チャンネル分を一つながりの一体構造にしたステレオスピーカである。
尚、第１，第２の背板１３，１４は第１，第２のバッフル板１１，１２の延長部とも考えられる。
【００７５】
又、スピーカユニット１，２のフレーム１５，１６と第１，第２のバッフル板１１，１２との間及び、第１の背板１３と、第２の背板１４の繋ぎ目の間にウレタンフォーム（スポンジ）の吸振部材１７，１８，１９を介して接合している。
尚、第１の背板１３と，第２の背板１４の繋ぎ目には塩化ビニールの弾性接合部材７を少し撓み加減で、適度の弾性を保ちながら張りつけて第１の背板１３と、第２の背板１４の連結を補強している。
これら、一つながりの一体構造物の周囲を後述する枕の材料（クッション材料のみをさす）９及び袋１０で包み込まれることによりステレオスピーカの全体を成している。
【００７６】
図６のスピーカにおいて、左Ｌチャンネル専用のスピーカユニット１から左Ｌチャンネルの音波５，５’を第１のバッフル板１１の前後方向にそれぞれ逆位相の音波で放射する。この時、バッフル板１１の前後の音波はそのバッフル板１１である程度は隔離されているので、それら逆位相の音波が相互干渉し足し算され相殺されて消えることは無い。
【００７７】
但し第１のバッフル板１１の面積は有限でその縁部の後ろから前に回り込む逆位相の音波５’に対しては枕の材料９が吸音材となり、その音波５’が耳２９まで比較的長い距離を通過する間に吸収遮蔽され、音波５’が干渉波として音波５に悪影響する量も微少となるので、音波５から低音域が相殺され減衰する量は少なくて済む。
【００７８】
つまり、前記第１の動作原理である「コーン紙２７の背後に発生する逆位相の遮蔽消滅作用」が奏効している。
尚、左Ｌチャンネル専用のスピーカユニット１の正面から聴取者の左の耳２９までの距離は近いので、直接音である音波５の減衰量は少なく、原音が忠実に聞かれる。
又、直接音透過部としても、後述する枕の材料９の材質が、作用効果に大きく影響しており、有効な直接音には減衰量を少なく通過させる。
【００７９】
又、スピーカユニット２に関してもスピーカユニット１同様に第２のバッフル板１２の縁部の後ろから前に回り込む逆位相の音波６’に対しては枕の材料９が吸音材となり、音波６へ干渉波として及ぼす悪影響を阻止するので、耳３０に到達する直接音で鳴る音波６から低音域の減衰量は少なくて済む。
【００８０】
又、第１、第２のバッフル板１１、１２は前記オーソドックスなスピーカに比べて遙に小型軽量であり、そのためスピーカユニット１，２からフレーム１５，１６を介して第１、第２のバッフル板１１、１２へ振動が伝われば、相互干渉の悪影響を受けやすいので、その振動が伝わらないように吸振部材１７，１８，１９及び弾性接合部材７を介在させることにより、立体音像定位感に対して有害な相互干渉する音波をスピーカユニット１から２までの間で遮蔽している。
【００８１】
これらの吸振部材１７，１８，１９及び弾性接合部材７は可聴周波数の音波を吸収し遮蔽しながらも、構造維持即ち、背板１３と背板１４及びフレーム１５，１６とバッフル板１１，１２とをガタつかせない程度に連結している。
【００８２】
尚、枕の材料９が例えば蕎麦殼であるなら、その蕎麦殼の粒をスピーカユニット１，２の内部に進入させないようなメッシュの防護ネット８をスピーカユニット１，２の前後（後面のそれは図示せず）面に配設する。
本実施形態のものでは前記蕎麦殼よりも遙に大粒で通気性の良い枕用の材料として、一般の寝具店に市販されている小指の先位の大きさの硬質樹脂短管を使用して、希望する音響効果とリラックス感を得られた。
【００８３】
又、枕の外形部材（外袋）１０は音波を遮蔽しない通気性の良い布地が適している。
尚、前記した蕎麦殼や樹脂管の断片が粒状で外形部材（外袋）１０の内部偏る弊害に対しては図示しないメッシュの内袋で区分けしたものを、前記バッフル板等の要所に固定する手段や、スピーカユニット１，２及び電線等の脆弱で所定の保護を要する部分の保護手段、前記バッフル板等の固い角を覆い隠し、利用者の安全を確保する手段に関しては、当業者において容易に着想し得るし、意匠上の範疇に属するので、それらの説明は省略する。
【００８４】
図７（ａ）は液体又はゲルを封入する袋にくびれ部を設け、そのくびれ部により生じた溝状又は波状の凹凸により、不均一な面を有するようにした背面音遮蔽板５１であり、他図に示したバッフル板１１にも使える。但し、バッフル板１１として用いる際には、スピーカユニットの取りつけ構造に若干の加工等を要するが、その詳細は省略する。
同図（ｂ）は本発明によるスピーカユニットの周辺構造として、図２で示した「埋め込み式」形態に併せて、自身で形状を維持できる吸音材を枕材に兼用し、寝具用の枕に応用した実施形態を示すスピーカの断面図である。
図６のものが、どちらかと言えば積極的に音を聞かせる専用の枕を構成しているのに対し、図７のものは極力普段の枕に主眼を置き、枕そのものの機能を一切犠牲にする事無しに高忠実度の音の出るスピーカを構成している。従って、バッフル板の様に角張る構造部材を排除し、クッション部材だけでスピーカユニットを保持収納している。
【００８５】
先ず、枕の土台となる通気性と弾力性に富む繊維構造の部材４０の上部に、すり鉢状の窪み４１，４２を設け、その窪み４１，４２に左Ｌチャンネル専用のスピーカユニット１及び右Ｒチャンネル専用のスピーカユニット２をそれぞれ上向きに嵌め込み、そのスピーカユニット１，２のコーン紙を防護すべく防護ネット８が被せられ、その防護ネット８を枕の材料９で完全に覆い隠すように構成している。
【００８６】
又、厚さ約３ミリメートル位のゴムマットでなる背面音遮蔽板５１をバッフル板代わりに敷き、背面音遮蔽の効果を得るようにしている。
そして、繊維構造の部材４０の中央部に防水樹脂（防水作用は問わないが、取り敢えず適材）を充填注入することにより、ＬＲ隔壁５２を形成している。この防水樹脂は風呂場や洗面所及び台所等の防水工事の際に、専用の射出器で目的箇所へ充填注入するものであり、シリコーン樹脂等の場合は弾力性を保持した隔壁が形成されることにより、左Ｌチャンネルと右Ｒチャンネルの分離を良くし、本発明のステレオ音響効果を高めるのに寄与している。
【００８７】
尚、部材４０に関し、各種材料を交換実験したところ、ペットボトルの再生品であるクッション材料「カールロック（高木化学研究所の登録商標）」を使った結果が良好である。
そして、枕の材料９は寝具店に市販されている硬質樹脂短管、具体的には指で摘んでも潰れない固さのポリプロピレン等の高分子系の硬質樹脂管材料の外径８ミリメートル，肉圧１ミリメートル，長さ１０ミリメートルのものが高忠実度の音でしかも、枕そのものとしても優れている。
又、枕の材料９が偏らないように分散し、適宜区分したメッシュの袋で包んで枕を形成している。
【００８８】
尚、前記直接音透過部としての前記硬質樹脂管はその形状から察するに、少なくとも直接音を減衰させ難いクッション材料を成し、そのクッション材料を前記硬質樹脂管から、例えばスポンジや綿状の材料に取り替えたのでは、必要とする直接音を減衰させてしまう。さらに前述した蕎麦殻でも結果は良くない。
【００８９】
又、背面音遮蔽部は、その材質の形状から察するに、コーン紙２７の背後から発生した逆位相の間接音が前記カールロック内部で乱反射を繰り返すうちに、互いに相殺消滅してしまうものと考えても、その優れた音響的作用効果が説明できる。
従って、図２のバッフル板１１に相当する硬い板でコーン紙２７の前後を仕切らなくても、前記第１の動作原理が作用して同等の効果が得られる。
【００９０】
このように、音響効果としては、前記硬質樹脂短管が最も良いので、防護ネット８の直上及びその近辺には必須であるが、それ以外の離れた場所には枕のみの快適性、美観、コスト等を徹底追求し、最適な区分で枕の材料９を配置する。
具体的には前記メッシュの袋の図示しない区分形状により如何様にも枕の材料９を配置できる。例えば利用者のうなじに当接する部分のみに対して、軟質ポリエチレン短管等をより嵩張らせて、高く持ち上げたり、一部を液体又は袋入りのゲルで枕を構成し、商品としての付加価値を高め、個性的に他と差別化できるので、販売を促進する効果がある。
【００９１】
前記した相互干渉する有害な音波を吸収遮断しながらも、音を濁らせない程度に程良い加減で、全体の構造を安定的にまとめる技術思想が、枕への応用発明の要旨そのものであり、その要件は以下の通りである。
（１）設置要領は利用者の耳のそば近くで囁きかけられる近距離の位置関係、そして本実施形態でスピーカを収納する対象物は枕等である。
（２）構造及び寸法は前記枕等の利用者の耳に対し、間接音を遮断して、直接音のみを到達させるようにする。
（３）材料は前記枕等の材料を吸音材に兼用する他、吸振部材をスピーカユニットを保持収納する主要部に介在させるか、又は土台に用いる。
（４）吸振部材の要件は前記した相互干渉する有害な間接波を吸収し遮断する柔軟性を保って、なおかつ前記枕等の用途に適する通気性及び弾力性を維持し、しかもガタつき及び濁り雑音の発生しない安定したまとまり。
【００９２】
尚、前記した枕への応用発明の要旨及び、その要件に含まれるものであれば、アンプを内蔵するか程度の創意工夫に関しては、当業者において容易に着想し得る内容であり、その程度の変更による実施形態のものは全て本発明に属するものと看做される。
【００９３】
次に、図８乃至図１０図に沿って、本発明の中でも主に背面音遮蔽板に着目した実施形態に関して説明する。
図８は本発明による背面音遮蔽板を懸垂式に実施した形態であり、これにおいては、懸垂式の背面音遮蔽板８３があり、文字通り竿８７に吊り下液体又は袋入りのゲル方式のバッフル板８６でなるスピーカに適用している。スピーカのコーン紙２７の辺縁を、前後方向に関して振動自在に保持するフレーム８５は、バッフル板８６に対しても、さらに前後方向に関して振動自在に保持されている。
【００９４】
そして、これらのコーン紙２７及びバッフル板８６に対して略延長平面上にあって、コーン紙２７及びバッフル板８６の前後の空間を隔離するように、その両脇に背面音遮蔽板８３を展開している。
尚、バッフル板８６も背面音遮蔽板を形成しているが、図解説明の都合上、呼称を分けている。
【００９５】
又、ここで前記「背面音遮蔽板」は「音響共鳴反射板」とも考えられる、その理由は、Ｐａｓｓｉｖｅ  Ｒａｄｉａｔｏｒ、即ち「受動的放射器」としての音源にもなっているからであり、このことは、本発明の二つ有る根本原理の一つであるため、図１乃至図１０に示しているすべての実施形態に関して共通している。
これはスピーカ・コーン紙２７が「能動的放射機能」であることに対し、そのコーン紙２７からの「共鳴による受動的な振動を受け継いで、その振動をコーン紙２７と協調しながら放射する機能」を備えていることによる。
【００９６】
又、この背面音遮蔽板（以下、「パッシブ・ラジエター」又は「音響共鳴反射板」とも称す）８３は聴取者に対して略最大面積を見せる位置関係に配設している。即ち、この背面音遮蔽板８３そのものがスピーカであったとしても、その背面音遮蔽板８３から聴取者の耳まで、直接到達する音波を聴取できるような位置関係である。
この背面音遮蔽板８３の効果を、出願人が一対比較試験により確認したところ、背面音遮蔽板８３無しの状態に比べて、背面音遮蔽板８３有りとした状態では、聴取者にとって明らかに音量が増強されていることを常に再現できた。
【００９７】
又、厚さ約４ミリメートル幅約６０センチメートルの発泡塩化ビニール板により、バッフル板８６と略同等の大きさの背面音遮蔽板８３を、バッフル板８６から僅かに離した両脇に均等に展開した状態が、聴覚上の効果を最善にした。
図８に示す如く、バッフル板８６の中心位置にあるコーン紙２７から、片側１メートル以内かつ全幅２メートル以内である。そして、全幅３メートルを超えると、良好でない結果となったので、全幅３メートル以内に収めることが望ましい。
【００９８】
尚、バッフル板８６の材料に関しては、剛性のある板材であれば、大抵のもので同等の効果を発揮すると考えられるが、ダンボールでは効果が得られない。
又、ステレオの立体音響定位感に関しては、左Ｌチャンネル、右Ｒチャンネル夫々専用のスピーカと聴取者の位置関係が、正三角形であることが好ましく、左Ｌチャンネル、右Ｒチャンネル夫々専用のスピーカ間には相当の空間を設けるのが理想的である。
【００９９】
前述した、背面音遮蔽板（音響共鳴反射板）８３の反射作用のことは、電気照明器具における反射板の効果と同様な作用によるものと考えられる。即ち、反射板無しには探照灯も前照灯も構成できないように、限られたエネルギー源の威力を無駄なく対象に向けて送り届ける作用効果である。
一般に、音源も光源もそこからエネルギーの放射が継続していても、それを送り届ける対象に向かって、レンズや反射板によって集中させない限り、略均等に拡散するので、その残存値は距離の二乗に半比例して消滅する。
【０１００】
前記反射板の効果を物理現象として疑う者は無いものの、実際に音響装置に応用した例はあまり無く、特に本発明に示す高忠実度再生を追求するステレオ・スピーカへの応用例はほとんど無かった。
家庭用に至るまで普及したステレオ・スピーカへの応用例が無かった背景には、共鳴箱を備えたオーソドックス型のステレオ・スピーカが、音響技術者から一般大衆まで固定観念として定着していることがある。即ち、「スピーカは共鳴箱に収めた状態で初めて本来の性能を発揮する」という常識である。
【０１０１】
メーカー、ユーザー、放送局などの関係者の大半がそのように信じて疑わないのは、共鳴箱の効用を実績として公認していたからである。
そして、劇場及びコンサートホールの音響設計に関連して、反射音の感覚的効用を意識されている程度であった。ただし、音源に対する残響音の遅延時間が聴覚上面白い響きに感じられる意味付けの研究等である。
この背面音遮蔽板８３が、音源となるスピーカの前方正面に位置する聴取者に対して、音波を効率的に送り届けることを、原理的には容易に理解できても、実際に試験研究をなした前例をあまり見ないので、ここに最善の結果を得られた実施形態を示している。
【０１０２】
このようにしたことにより、小出力かつ小口径スピーカでも大出力かつ大口径スピーカに匹敵する、高忠実度で大きな再生音を得られる。従って、従来と同等効力のものであれば、当然に低価格化できる。
従来ならば５０万円を要し、共鳴箱を備えたオーソドックス型のステレオ・スピーカ及び相当出力のアンプに匹敵する高忠実度の再生音を、僅か数万円の簡素な小出力かつ小口径スピーカで実現できる。
又、設置場所の室内造作が、音響的効果上は希望しない吸音構造、例えば布団が収納された押入れのある和室等（図示せず）であっても、音量の減衰の少ない、効率よい音響装置が提供できる。
【０１０３】
又、スピーカのフレーム８５と無接触又は柔軟結合（図示せず）により、コーン紙２７と背面音遮蔽板８３との位置関係を保持する機構即ち、竿８７に各部を吊り下げる液体又は袋入りのゲル構造とした。
尚、前記柔軟結合によるフレーム８５とバッフル板８６との保持手段に関しては既に、図１乃至図５示した通りであり、その保持手段を併用すれば本発明による背面音遮蔽板８３を設置する効果を最大限に発揮できる組合せとなる。
このようにしたことにより、重くて嵩張る共鳴箱を省略できて、しかも高忠実な再生音を得られる。従って、従来と同等効力のものであれば、低価格化できる。
又、この再生音は特定の共振周波数を不自然に強調しないので、聴取者を飽きさせず、疲労させず、会話を遮る度合いが少ないので、聞いていて心地よい。
【０１０４】
又、図９は本発明による背面音遮蔽板を屏風式に実施した形態である。
図９に示す背面音遮蔽板９７を、注油不要目的に製品化されている樹脂製蝶番９８により、バッフル板９９の両脇で、フラップ状に折り畳み自在に支承している。
この背面音遮蔽板９７は厚さ約４ミリメートルの発泡塩化ビニール板により、バッフル板と同等の大きさのものを、そのバッフル板９９の両脇に、均等かつ聴取者を包む角度で両翼を広げて直立するような形に展開した状態が、聴覚上の効果を最善にした。要するに最大面積を聴取者に見せる配置が良い。
尚、全幅寸法に関しては、図８の実施形態と同様である。
【０１０５】
図８及び図９に示したように、全体的に略縦型平板状の構成にまとめたことにより、設置場所の広さや室内造作、及びデザイン上のバランスまでも、制約条件を少なくできる。又、嵩張らず移動や収納にも負担が軽減される。
あるいは、全体的に略平板状の構成なので、それらの表面の斬新な意匠を凝らして販売促進効果も得やすいし、利用者が壁紙やポスター等を貼付する楽しみも残されている。
そして、近年徐々に普及し、近未来には全てのテレビ画面がブラウン管型から液晶平板型に置き換わるものと予想すれば、箱型デザインで統一されてきた従来の音響及び映像（以下、「ＡＶ」と称す）装置類も、今後縦型平板のデザインで統一される可能性が高い。
【０１０６】
さらに言えば、現代日本の一般大衆の住宅事情は劣悪なまでに狭隘であり、本来ならば豊かな生活空間を構成するためのＡＶ装置が、逆に人の生活空間を圧迫する例が良く見受けられ、そのような本末転倒現象を解消するためにも、本発明を応用して前記縦型平板のデザインで統一し、かつ機能美を備えた近未来のＡＶ装置を商品化し、普及させることが急務である。
【０１０７】
又、現在でも大勢に興味を持たれていながら、今ひとつ普及が進まない、「ＡＶサラウンド」、「ホーム・シアター」等の商品名で存在する、「映像と立体音像定位での相乗効果を持たせた専用ソフト再生装置」等も、前述したように縦型平板のデザインで統一されたスピーカシステムを始め、低価格化されたＡＶ装置であれば、普及が促進され、商業放送の開始されたＢＳデジタル放送や、テレビ放送番組のインターネット配信と相まって、ＡＶ関連の装置及びソフト配給の産業発展に寄与する。
【０１０８】
又、図１０は本発明による背面音遮蔽板を折り畳み自在の「アコーデオンカーテン式」又は「スライド・シャッター式」に実施した形態である。
図１０において、軽量の樹脂製アコーデオンカーテン状に折り畳み自在の背面音遮蔽板（以下、「アコーデオンカーテン」とも称す）１００は薄い塩化ビニールシート製のものと違って、厚さ約３ミリメートル乃至１０ミリメートル、幅約１０センチメートルの短冊状の板が蝶番連結され、摺動金具７８により、鴨居のレール７９に摺動自在に懸垂された、開閉自在の屋内仕切り用建具である。
【０１０９】
アコーデオンカーテン１００は、バッフル板８６の両脇（図１０では左翼のみ）を戸口として、開閉自在に配設されている。このアコーデオンカーテン１００は、バッフル板８６との面積及び位置関係に関しては、設置する室内の造作との関係により、最適に選び、必要に応じて開放状態にすることも自在である。
【０１１０】
又、図１０における右翼に示したスライド・シャッター状に折り畳み自在の背面音遮蔽板（以下、「スライド・シャッター」とも称す）１０１も厚さ約３ミリメートル乃至１０ミリメートル、幅約１０センチメートルの短冊状の板が、蝶番連結でなく窓用ブラインドを水平方向に開閉するが如くに、重なりと展開を自在になすべく、摺動金具７８により、鴨居のレール７９に摺動自在に懸垂されて、開閉自在の屋内仕切り用建具であり、必要に応じて開放状態にすることも自在である事に関し、アコーデオンカーテン１００と同様である。
【０１１１】
従って、アコーデオンカーテン１００及びスライド・シャッター１０１に本来備えられた機能を生かすことにより、如何様にも対応可能となる。
同様に図示せぬ引き戸や扉等による移動開閉自在の背面音遮蔽板を構成しても、最適実施形態が得られるはずであり、バッフル板８６との組合せで設計されたものであれば、本発明に含まれるものと看做し得る。
【０１１２】
次に図１３乃至図１６により、本発明の実施形態である商品設計図を第１例乃至第４例を示して説明する。尚、作用効果は図２のものと略同等なので、作用的説明の大半を省略する。
図１３は商品設計図の第１例であり、同図（ａ）はその正面図、同図（ｂ）は同図（ａ）Ａ−Ａ矢線における断面図、同図（ｃ）はこれらの分解又は組立図である。同図（ｃ）におけるパンチングボード又は化粧金網若しくはサランネット（枠付き防護網）等８８は、コーン紙２７を保護すると共に、全体の外形を維持する役割を持たせても良い。
【０１１３】
そして、袋入りのゲルを主体とする穴明きマット式の背面音遮蔽板５１ａをバッフル板の代わりに配設している。この図１３でスピーカユニット１は一つであるが、これを複数設けてステレオ効果を持たせても良い。カールロック部材４０ａは通気性と弾力性に富み、かつ適度な剛性も備えた繊維構造の部材なので、中小型軽量のスピーカユニット１を所定の位置に柔軟に保持する。
裏蓋８９は図１３（ｃ）に紹介したものと同等材料でもよく、パンチングボード又は化粧金網等で構成するが、これによりある程度の外形維持させ、全体を取り付け支持する役割を持たせても良い。尚、平坦な壁に密着して取り付ける用途であれば、裏蓋８９は通気性に拘らず、安価な板金かベニヤ板としても良い。
【０１１４】
図１４は商品設計図の第２例であり、同図（ａ）はその正面図と、その図中Ｂ−Ｂ矢線における縦断面図である。そして、同図（ｂ）は同図（ａ）Ｃ−Ｃ矢線における水平断面図である。カールロック部在４０ｂは略カマボコ型の形状を構成し、その前部凸条面にはゲルを主体とする穴明きマットでなる背面音遮蔽板５１ｂが前方から覆い被せてある。
【０１１５】
尚、パンチングボード又は化粧金網若しくはサランネット（枠付き防護網）等８８ａを同図（ａ）からは省略しているが、当業者には設計及び製造が容易な周知技術なので説明を省略する。以下、図１５と図１６でも同様である。
ここで背面音遮蔽板５１ｂは、音源たるスピーカユニット１の前方を、樋状の曲面で包み込むため、スピーカユニット１の前後を面積の効率良く隔離し遮断するので、平板でなる背面音遮蔽板５１ａよりも狭い面積で目的を達成する。したがって、全体を小型軽量にして高忠実度の音を出せる。
【０１１６】
図１５は商品設計図の第３例であり、同図（ａ）はその正面図、その図中Ｄ−Ｄ矢線における断面図を同図（ｂ）に示している。
カールロック部材４０ｃは四角錐の頂部を切除し中腹以下、即ち四側面が夫々台形状に見える台地状の外形のものであり、その台地状のカールロック部材４０ｃには、その天面の中央部にすり鉢状の穴が設けてあり、そのすり鉢状の穴にスピーカユニット１が上向きに配設されている。
ここで背面音遮蔽板５１ｃは底面に丸穴の明いた角型の鉢のような形状であり、これによりスピーカユニット１を、その前方から包み込むように配設されている。
そのことにより、スピーカユニット１の前後を、背面音遮蔽板５１ｃは面積の効率良く、隔離し遮断するので、平板でなる背面音遮蔽板５１ａよりも狭い面積でも目的を達成する。したがって、全体を小型軽量にできる。
【０１１７】
図１６は商品設計図の第４例であり、同図（ａ）はその正面図、同図（ｂ）は同図（ａ）Ｅ−Ｅ矢線における断面図である。そして、底面に丸穴の明いた平底鍋（しゃぶしゃぶ鍋又はパンケーキ鍋）をさかさまに伏せた様に、その中央部にすり鉢状の穴が明いている形状のカールロック部材４０ｄがあり、そのすり鉢状の穴にスピーカユニット１が配設されている。
ここで背面音遮蔽板５１ｄはスピーカユニット１の前後を、底面に丸穴の明いた平底丸鍋のような形状であり、これによりスピーカユニット１を、その前方から包み込むように配設されている。そのことにより、スピーカユニット１の前後を、背面音遮蔽板５１ｄは面積の効率良く隔離し遮断するので、平板でなる背面音遮蔽板５１ａよりも狭い面積でも目的を達成する。
したがって、全体を小型軽量にできる。
尚、全図面に亘り、同一機能効果の部位には同一符号を付し、説明の重複を避けている。
【０１１８】
【発明の効果】
請求項１，２に係る発明によれば、重くて嵩張る共鳴箱を省略できて、しかも高忠実な再生音を得られる。このことにより、従来からあるＡＶ機器への発展的応用の他、今までは音質第１目的の部類に属さなかった種類の電子電気応用機器に対しても、高忠実度の音声を、小型軽量でしかも低価格のままに提供できる。
【０１１９】
又、請求項３に係る発明によれば、枕のクッション材料をそのまま無駄無く生かしながら、枕に内蔵した小型軽量のスピーカであるにもかかわらず、大型のスピーカに匹敵する高忠実度の音を聞かせられる。
【０１２０】
請求項４に係る発明によれば、左Ｌチャンネルと右Ｒチャンネルの分離を良くし、ステレオ音響効果を高める。
【０１２１】
そして、煩わしいヘッドホンの装着感も無く、耳がスピーカシステムから多少の距離に離れても聞こえる音は急激には痩せ細らない。
又、低音域の音声を相殺せず、又、左Ｌチャンネル、右Ｒチャンネルの区別が無くならず、高級ヘッドホン若しくは大型のスピーカシステムでしか得られなかったところの、原音に忠実で迫力ある重低音と立体音像定位感を聴取者に与えられる。
【０１２２】
又、左Ｌチャンネル、右Ｒチャンネルで完全独立筐体で成る二個のスピーカボックスを独立して配設する必要も無く、小型軽量で簡素な単一構成なので、本発明のスピーカシステムは応用する対象範囲が幅広い。
【０１２３】
請求項５，６，７に係る発明によれば、高忠実度の音を出すために最も効果的な結果を確実に得られる。
【０１２４】
又、請求項８に係る発明によれば、寝具用の枕又は安楽椅子に応用して、楽しむことができる。
【図面の簡単な説明】
【図１】本発明による「基本」実施形態を示すスピーカの断面図である。
【図２】本発明による「埋め込み式」実施形態を示すスピーカの断面図である。
【図３】（ａ）は液体又はゲルを封入する袋にくびれ部を設け、そのくびれ部により生じた溝状又は波状の凹凸により、不均一な面を有するようにした吸振部材３７，３８であり、同図（ｂ）は本発明によるスピーカユニットの周辺構造として「開放端をリング部材で封止して成るＬ字、Ｊ字、若しくはＵ字状断面、又はコ字状断面の取り付け構造」を有する実施形態を示す断面図である。
【図４】本発明によるスピーカユニットの周辺構造として「組立て前の部品単位で、Ｊ字、Ｕ字、ｈ字若しくはユ字状断面、又はコ字状断面の取り付け構造」を有する実施形態を示す要部拡大断面図であり、図４（ａ）はバッフル板１１の手前側からスピーカユニットを固定したもの、図４（ｂ）はバッフル板１１の背面側からスピーカユニットを固定したものである。
【図５】（ａ）は図３（ａ）で示した吸振部材３７，３８と略同様の吸振部材１７，１８であり、同図（ｂ）は本発明によるスピーカユニットの周辺構造として、図１で示した「基本」形態に併せて、「凹部が吸振部材を介して緩く嵌合する支持構造」により後部マグネットの重量を支えた実施形態を示す断面図である。
【図６】本発明によるスピーカユニットの周辺構造として、図１で示した「基本」形態に併せて、バッフル板を背面音遮蔽板として活用し、寝具用の枕に応用した実施形態を示すスピーカの断面図である。
【図７】（ａ）は液体又はゲルを封入する袋にくびれ部を設け、そのくびれ部により生じた溝状又は波状の凹凸により、不均一な面を有するようにした背面音遮蔽板５１であり、他図に示したバッフル板１１にも使える。同図（ｂ）は本発明によるスピーカユニットの周辺構造として、図２で示した「埋め込み式」形態に併せて、自身の形状を保持し得る材質の吸音材を枕材に兼用し、寝具用の枕に応用した実施形態を示すスピーカの断面図である。
【図８】本発明による背面音遮蔽板を懸垂式に実施した形態である。
【図９】本発明による背面音遮蔽板を屏風式に実施した形態である。
【図１０】本発明による背面音遮蔽板を折り畳み自在の「アコーデオンカーテン式」又は「スライド・シャッター式」に実施した形態である。
【図１１】従来の家庭用ステレオのスピーカの水平断面図である。
【図１２】従来例として示す、パッシブ・ラジエターの縦断面図である。
【図１３】本発明による実施形態であり商品設計図の第１例である。
同図（ａ）はその正面図、同図（ｂ）は同図（ａ）Ａ−Ａ矢線における断面図、同図（ｃ）はこれらの分解又は組立図である。
【図１４】本発明による実施形態であり商品設計図の第２例である。
同図（ａ）はその正面図と、その図中Ｂ−Ｂ矢線における縦断面図であり、同図（ｂ）は同図（ａ）Ｃ−Ｃ矢線における水平断面図である。
【図１５】本発明による実施形態であり商品設計図の第３例である。
同図（ａ）はその正面図、同図（ｂ）は同図（ａ）Ｄ−Ｄ矢線における断面図である。
【図１６】本発明による実施形態であり商品設計図の第４例である。
同図（ａ）はその正面図、同図（ｂ）は同図（ａ）Ｅ−Ｅ矢線における断面図である。
【符号の説明】
１，（左Ｌチャンネル専用の）スピーカユニット
２，右Ｒチャンネル専用のスピーカユニット
９，枕の材料
１１，（第１の）バッフル板
１２，第２のバッフル板
１５，１６，８０，フレーム
１７，１８，１９，２０，３７，３８，３９，４１，吸振部材
８６，９６，９９，バッフル板
２７，コーン紙
４０，通気性と弾力性に富み、かつ適度な剛性も備えた繊維構造の部材
４０ａ，４０ｂ，４０ｃ，カールロック部材
４１，４２，すり鉢状の窪み
５１ａ，５１ｂ，袋入りのゲルを主体とする穴明きマット式の背面音遮蔽板
６２，７３，凹部を有する取り付けガイド
８２，パッシブ・ラジエター
５１，８３，８７，背面音遮蔽板
１００，アコーデオンカーテン式の背面音遮蔽板
１０１，スライド・シャッター式の背面音遮蔽板
【図１】
0003796134.tif 000002
【図２】
0003796134.tif 000003
【図３】
0003796134.tif 000004
【図４】
0003796134.tif 000005
【図５】
0003796134.tif 000006
【図６】
0003796134.tif 000007
【図７】
0003796134.tif 000008
【図８】
0003796134.tif 000009
【図９】
0003796134.tif 000010
【図１０】
0003796134.tif 000011
【図１１】
0003796134.tif 000012
【図１２】
0003796134.tif 000013
【図１３】
0003796134.tif 000014
【図１４】
0003796134.tif 000015
【図１５】
0003796134.tif 000016
【図１６】
0003796134.tif 000017